(57)【要約】【課題】  保冷庫に穀粒袋を段積形態に積込む作業を、人力操作によって行う形態では、上層段部の穀粒袋は、持上力と、庫内奥側への押込力を有するため、積込操作が行い難い。【解決手段】  庫口１上に沿って横移動可能の巻上機２を設け、穀粒袋を載せて摺動案内する袋シュータ３を前記巻上機２に取付けて昇降させながら庫内へ袋積する。収納庫内に穀粒袋を積込むときは、庫口１上に巻上機２を取付け、袋載台３を吊下げる。この袋載台３に穀粒袋を載置して、庫口１副に沿って横移動し、上昇させながら、この袋シュータ３を庫口１から庫内へのぞませて、この袋シュータ３上面の穀粒袋を庫内へ押込んで袋積みする。【選択図】 図１
2009286580.tif 000002
【特許請求の範囲】
【請求項１】
庫口（１）上に沿って横移動可能の巻上機（２）を設け、穀粒袋（９）を載せて摺動案内する袋シュータ（３）を前記巻上機（２）に取付けて昇降させながら庫室（２７）内へ案内する構成と特徴とする収納庫の袋積込装置。
【請求項２】
前記袋シュータ（３）は、穀粒袋（９）載置面にローラ（４）を配置して伸縮可能に設けたことを特徴とする請求項１に記載の収納庫の袋積込装置。
【請求項３】
前記巻上機（２）は、巻上プーリ（５）と吊下プーリ（６）との間に巻上紐（７）を掛け渡すことを特徴とする請求項１、又は２に記載の収納庫の袋積込装置。
【発明の詳細な説明】
【技術分野】
【０００１】
この発明は、冷蔵庫や、保冷庫等のように比較的小容量の収納庫における穀粒袋を積込む袋積込装置に関し、小形、軽量で、取扱の簡単、容易化を図る。
【背景技術】
【０００２】
床面上に据置く形態の袋の段積装置（パレタイザー）で、袋掴揚げ形態のグリップハンガーを、前後、左右に移動可能にして、昇降制御のパレット上面に袋積する技術（例えば、特許文献１参照）が知られている。
【特許文献１】特開２００４ー３４５７７５号公報（第１頁、図１）。
【発明の開示】
【発明が解決しようとする課題】
【０００３】
保冷庫に穀粒袋を段積形態に積込む作業を、人力操作によって行う形態では、上層段部の穀粒袋は、持上力と、庫室内奥側への押込力を有するため、積込操作が行い難い。又、この上層段部の積込行程では、庫室内天井部が低く高さ間隔部が少ないため、グリップハンガー等を用いて、穀粒袋を掴み揚げながら積込むような作業操作を行うことができない。
【課題を解決するための手段】
【０００４】
請求項１に記載の発明は、庫口１上に沿って横移動可能の巻上機２を設け、穀粒袋を載せて摺動案内する袋シュータ３を前記巻上機２に取付けて昇降させながら庫室２７内へ袋積することを特徴とする収納庫の袋積込装置の構成とする。収納庫室２７内に穀粒袋を積込むときは、庫口１上に巻上機２を取付け、袋載台３を吊下げる。この袋載台３に穀粒袋を載置して、庫口１副に沿って横移動し、上昇させながら、この袋シュータ３を庫口１から庫室２７内の穀粒袋積重位置の正面位置へのぞませて、この袋シュータ３上面の穀粒袋を庫室２７内へ押込んで袋積みする。
【０００５】
請求項２に記載の発明は、前記袋シュータ３は、袋載面にローラ４を配置して伸縮可能に設けたことを特徴とする。前記のように庫口上部に巻上機２を取付けて穀粒袋を積込むとき、穀粒袋の積込み位置が奥側へ深い場合は、この穀粒袋を載せる袋シュータ３を伸長させた状態で、庫室２７内奥側へのぞませて、穀粒袋をシュータのローラ４面に案内させて庫室２７内へ押込むことによって積込むことができる。
【０００６】
請求項３に記載の発明は、前記巻上機２は、巻上プーリ５と吊下プーリ（６）との間に巻上紐７を掛け渡すことを特徴とする。前記のように庫室２７内への穀粒袋の積込作用を行う巻上機２は、巻上プーリ５を回すことによって巻上紐７を巻上げて吊下プーリ６を上昇するため、巻上機２を小形、軽量に構成して、積込操作を行い易くすることができ、この庫口１に対する過負荷を与えないで、安定した取付状態を維持することができ、取扱操作を容易にすることができる。
【発明の効果】
【０００７】
請求項１に記載の発明は、収納庫室２７内に穀粒袋を積込むときは、庫口１上に横移動可能に取付けた巻上機２を用いて積込作業することができ、積込作業後は、この巻上機２に対する袋シュータ３、又は巻上機２を取外すことによって庫口１のドアを開閉して収納庫としての使用に戻すことができ、巻上機２や、袋シュータ３等の着脱を簡単、容易にすることができる。又、穀粒袋の積込作業は、この巻上機２に吊下げた袋シュータ３上面に穀粒袋を載せて、横移動、及び昇降により積込位置正面にのぞませて、この袋シュータ３上面の穀粒袋を庫室２７内側へ押込むことによって容易に段積することができる。このような巻上機２や袋シュータ３等は一定容量の穀粒袋の吊下、巻上機能を有するものであればよいから、比較的小形、軽量の形態として、庫口１上への取付支持構成を安定化することができ、着脱操作を容易にすることができる。
【０００８】
請求項２に記載の発明は、袋シュータ３を、回転自在のローラ４を配置して伸縮可能に構成しているため、穀粒袋を支持して庫室２７内への袋積込深さに応じた長さに伸縮しながら、この支持穀粒袋をシュータ３ローラ４上面に移動案内させて、円滑に、容易に押込んで袋積みすることができる。
【０００９】
請求項３に記載の発明は、巻上機２を巻上プーリ５や、吊下プーリ、及び巻上紐等によって構成し、この吊下プーリ６部に袋シュータ３を吊下げるものであるから、比較的小形、軽量化の形態とすることができて取扱いを容易にすることができる。特に、袋シュータ３は単に穀粒袋を載せて滑動案内させる形態であり、巻上紐７によって吊下げるため、この袋シュータ３の庫室２７内への揺動出入れ操作を容易にすることができる。
【発明を実施するための最良の形態】
【００１０】
図例に基づいて、収納庫として保冷庫８は、例えば３０ｋｇ入りの玄米袋を穀粒袋９として、八段積み、左右横方向へ三層に、及び前後奥側へ二層にした形態にして積込んで収納し、保冷保管することができる。上部に冷却機１０を配置し、前側の庫口１には左右に開閉回動のドア１１を有して、この庫室２７に収容した穀粒袋９を低温で保冷管理するものである。
【００１１】
ここにおいて、袋積込装置は、庫口１上に沿って横移動可能の巻上機２を設け、穀粒袋を載せて摺動案内する袋シュータ３を前記巻上機２に取付けて昇降させながら庫室２７内へ袋積することを特徴とする収納庫の袋積込装置の構成とする。収納庫室２７内に穀粒袋を積込むときは、庫口１上に巻上機２を取付け、袋載台３を吊下げる。この袋載台３に穀粒袋を載置して、庫口１に沿って横移動し、上昇させながら、この袋シュータ３を庫口１から庫室２７内の穀粒袋積重位置正面へのぞませて、この袋シュータ３上面の穀粒袋を庫室２７内へ押込んで袋積みする。
【００１２】
又、前記袋シュータ３は、袋載面にローラ４を複数配置し、上下複数段に伸縮可能に設けたことを特徴とする。前記のように庫口上部に巻上機２を取付けて穀粒袋を積込むとき、穀粒袋９の積込み位置が奥側へ深い場合は、この穀粒袋９を載せる袋シュータ３を伸長させた状態で、庫室２７内奥側へのぞませて、穀粒袋９を袋シュータ３のローラ４面に案内させて庫室２７内へ押込むことによって積込むことができる。
【００１３】
又、前記巻上機２は、巻上プーリ５と吊下プーリ６との間に巻上紐（７）を掛け渡すことを特徴とする。前記のように庫室２７内への穀粒袋の積込作用を行う巻上機２は、巻上プーリ５を回すことによって巻上紐７を巻上げて吊下プーリ６を上昇するため、巻上機２を小形、軽量に構成して、積込操作を行い易くすることができ、この庫口１に対する過負荷を与えないで、安定した取付状態を維持することができ、取扱操作を容易にすることができる。
【００１４】
前記巻上機２は、ウインチ形態で、小形のギヤドモータＭによって回転駆動の巻上プーリ５と、この巻上プーリ５によって巻上げられる巻上紐７、及びこの巻上紐７に吊下げられる吊下プーリ６等から構成されて、この吊下プーリ６部のウインチフック１２に袋載する袋シュータ３を着脱可能に取付けるものである。このウインチフック１２は吊下プーリ６のプーリ軸１３に吊下げて取付けられ、下端に鉤形状のフック１４を形成し、袋シュータ３のフックアーム１５を係合させて吊下げることげできる。
【００１５】
前記巻上機２にはガイドローラ１６を有して、庫口上方に支架するガイドレール１７に支持案内させて、この庫口１上側を左右横方向へ移動可能に構成する。ガイドレール１７は、庫口１上の左右両側部に支持ブラケット１８を取付けて、両支持ブラケット１８間にわたって水平状にガイドレール１７を支架する。このガイドレール１７上に支持する巻上機２は、ガイドローラ１６の電動回転に横移動する構成とすることも可能であるが、手動操作によって、横移動、及び係止可能に構成している。
【００１６】
前記袋シュータ３は、穀粒袋９を横倒姿勢にして載置する広さの形態にして、回転自在のローラ４を前後一定間隔にして配置する。又、メインシュータ１９と、このメインシュータ１９の下側に沿って前後に移動して伸縮可能のサブシュータ２０とから構成している。これら袋シュータ３のローラ４は、左右方向幅の中央部に適宜幅にわたる切欠部２１を形成している。このサブシュータ２０の切欠部２１に、押込ストッパー２２を設けて引出伸出されたサブシュータ２０の押込縮小を係止することができる。又、これらメインシュータ１９とサブシュータ２０のシュータフレーム３０、３１間には、引出ストッパー３２を設けて押込まれて縮小されたサブシュータ２０の引出を係止することができる。これら各シュータ１９、２０は、ローラ４の左右両端を回転自在に軸受けするメインフレーム３０と、サブフレーム３１を有し、上下に重合させて前後摺動可能に構成している。これらメインフレーム３０の下辺部に沿って形成の摺動溝３３と、サブフレーム３１の上辺部に沿って形成の摺動溝３４を相互に嵌合させて、サブシュータ２０を前後に摺動して、袋シュータ３上面を前後に伸縮することができる。前記引出ストッパー３２は、メインフレーム３０の一側部に設けるストッパレバー３５によって出没されるストッパピン３６を、サブフレーム３４に形成のピン穴に係合させて、このサブフレーム３４の伸縮移動を係止することができる。又、押込ストッパー２２は、メインシュータ１９前端部のローラ軸２４部周りに上下回動自在のストッパプレートからなる押込ストッパー２２を、ローラ４、２６の切欠部２１において下動させて、サブシュータ２０の押込時にこの切欠部４のローラ軸２３部に係合させて、このサブシュータ２０の押込作動を係止することができる。この押込ストッパー２２のローラ軸２４の横外側にはレバー２５を設けて、上方へ回動させてローラ軸２３とを係合を不能に外すことによって、サブシュータ２０を押込移動することができる。このようなサブシュータ２０の伸縮移動は、ストッパレバー３５によりストッパピン３６の係止を外した状態で行わせるが、このサブシュータ２０の前方への伸出を自由に行わせることができ、後方への押込縮小を前記押込ストッパ２２で係止することにより、この伸出位置を維持させることができる。又、前記ストッパピン３６からなる引出ストッパー３２を係止することによって、この押込ストッパー２２の操作に拘らずサブシュータ２０を伸縮不可能に固定することができる。
【００１７】
前記サブシュータ２０の前端底部には、カバー板３７を設けて、積重下段部の穀粒袋９の上側面に接当させるときの、袋を破らないように形成している。又、このメインシュータ１９の前端には、このメインシュータ１９上のローラ４とサブシュータ２０上のローラ４との段差部に、この高さ方向の中間部にサブローラ２６を回転自在に設けて、穀粒袋９の前後移動を円滑に行わせるように形成している。このようなメインシュータ１９の後側端には適宜高さのリヤハンドル２７を設けて、この上端部から前側重心位置にわたって前記フックアーム１５を側面視コ字状に突出形成し、このフックアーム１５の前端中央部を巻上機２のフック１４に吊下げる。このサブフレーム２０を前側へ引出した状態で、穀粒袋９を載せて、メインシュータ１９部のローラ４上に載せた状態Ａから、サブシュータ２０部のローラ４上に移動させたり、又、これとは逆向きに移動させることができる。又、前記のように巻上機２に袋載台３を吊下げた状態で、この袋載台３をハンドル２７把持して前後へ揺動して、この前端側のサブシュータ２０部を庫室２７内へ移動Ｂさせることができる。又、袋載台３を前記フック１４周りに前下り傾斜に回動して、袋載面を前下りに傾斜Ｃして、穀粒袋９の滑り下しを行い易くすることができる。前記モータＭの起動操作は、ハンドル２７部に設ける操作ボックス２８におけるスイッチ操作によって行う構成とするも可能である。
【００１８】
前記の構成によって、庫口１の横幅が広い形態では、巻上機２を横方向へ移動させて、穀粒袋９の重量を受けて垂下する袋シュータ３を、庫室２７内の袋積位置の正面位置に対向させることによって、この重い穀粒袋９を載せた袋シュータ３の吊下姿勢を垂下状態に維持させて、この袋シュータ３上面の穀粒袋９を滑込ませて積重供給し易くすることができる。この袋シュータ３のハンドル２７を把持して、穀粒袋９を載置した状態で巻上機２による吊下位置を左右へ振り移動させたり、庫口１に対して前後方向へ振り移動させ、又、この袋シュータ３の前端部を積重しようとする穀粒袋９上位置へのぞませて、更には、操作ボックス２８のスイッチ操作によってこの袋シュータ３の高さ位置や、傾斜角度を適宜に決めながら、この袋シュータ３に載せている穀粒袋９を、ローラ４上面を円滑に滑動させて積込重合させる。
【００１９】
又、この巻上機２や、袋シュータ３は、庫室２７に積込まれている穀粒袋９を庫外へ取出す場合にも使用することができる。このとき、前記袋シュータ３は、取出位置の穀粒袋９位置に合せて、前後水平状、乃至後下り傾斜の姿勢に操作して、庫室２７内の穀粒袋９を袋シュータ３のローラ４面に支持案内させて、後側へ移動させて袋シュータ３上の重心位置に移動させて容易に取出すことができる。袋シュータ３は穀粒袋９を支持して吊下垂下状態で安定するが、このシュータ３を前後に伸縮することによって袋シュータ３の吊下位置の揺動位置を少くして、庫室２７の奥側への袋積込を容易にする。このとき袋シュータ３の前後方向の揺動を少くすることができ、伸出するサブシュータ２０の前端部を袋載位置に支持させて、穀粒袋９をメインシュータ１９上面からサブシュータ２０上面を経て、袋載位置へ移動させる。又、袋積込位置が庫口１近くの場合は、サブシュータ２０を引込めた状態で、メインシュータ１９による積込みを行い、メインシュータ１９の前後揺動を少くして、積込操作を容易に行うことができる。
【００２０】
このような袋シュータ３は、穀粒袋９のように重量荷物の積降時に使用し、袋シュータ３の不要時は取外す。又、この巻上機２は常時装着する形態とすることもできるが、この場合は、巻上紐７下端のフック１４を庫口１の上縁よりも上位に上昇させておき、ドア１１の開閉の邪魔にならないようにする。
【図面の簡単な説明】
【００２１】
【図１】側面から見た袋積込装置の作業状態を示す図
【図２】平面から見た袋積込装置の作業状態を示す図
【図３】背面から見た袋積込装置の作業状態を示す図
【図４】袋積込装置の側面図
【図５】袋積込装置の正面図
【符号の説明】
【００２２】
１        庫口
２        巻上機
３        袋シュータ
４        ローラ
５        巻上プーリ
６        吊下プーリ
７        巻上紐
８        保冷収納庫
９        穀粒袋
【図１】
2009286580.tif 000003
【図２】
2009286580.tif 000004
【図３】
2009286580.tif 000005
【図４】
2009286580.tif 000006
【図５】
2009286580.tif 000007